(57)【要約】【課題】防爆性能を備えて携帯端末機を収納し、操作、通話機能を満足し、しかも、シンプルな構成で小型・軽量化を図ることができるようにした防爆型携帯端末機ケースを提供する。【解決手段】この防爆型携帯端末機ケースは、送受信部、表示部、送話部、受話部、キー入力部その他の操作部を備えた携帯端末機１を収納した状態で使用することができるように、開口部１５を設けたケース本体１０と、ケース本体１０の開口部１５を閉鎖するカバー２０とを備えている。ケース本体１０及びカバー２０が防爆性能を有する金属によって成型され、ケース本体１０又はカバー２０には携帯端末機１の送受信部、表示部、送話部、受話部、キー入力部その他の操作部と対向する部位に貫通穴１１ａ，２０ａ，１２ａ，１２ｃ，１２ｄ，１２ｅ，１３ａが形成され、各貫通穴に防爆性能を有する電波透過部材４１、透光部材４２、音声透過部材４４、金属製の押釦４６，４８が嵌め込まれている。【選択図】図１
2010192972.tif 000002
【特許請求の範囲】
【請求項１】
送受信部、表示部、送話部、受話部、キー入力部その他の操作部を備えた携帯端末機を収納した状態で使用することができるように、開口部を設けたケース本体と、ケース本体の開口部を閉鎖するカバーとが備えられた防爆型携帯端末機ケースにおいて、
前記ケース本体及びカバーが防爆性能を有する金属によって成型され、前記ケース本体又はカバーには携帯端末機の送受信部、表示部、送話部、受話部、キー入力部その他の操作部と対向する部位に貫通穴が形成され、送受信部と対向する貫通穴に防爆性能を有する電波透過部材が嵌め込まれ、表示部と対向する貫通穴に防爆性能を有する透光部材が嵌め込まれ、送話部及び受話部と対向する貫通穴に防爆性能を有する音声透過部材が嵌め込まれ、キー入力部その他の操作部に対向する部位に防爆性能を有する金属製の押釦が内外を隔絶しつつ突出・退入自在に嵌め込まれていることを特徴とする防爆型携帯端末機ケース。
【請求項２】
前記電波透過部材及び／又は光透過材を嵌め込む貫通穴には、電波透過部材及び／又は光透過材の前面側周縁部を載置するフランジが設けられていることを特徴とする請求項１に記載の防爆型携帯端末機ケース。
【請求項３】
着信音を発生する着信音発生部を備えている携帯端末機を収納するケース本体又はカバーには、着信音発生部に対向する部位に貫通穴が形成され、該貫通穴に防爆性能を有する音透過部材が嵌め込まれていることを特徴とする請求項１又は２に記載の防爆型携帯端末機ケース。
【請求項４】
携帯端末機に備えられた充電端子と対向する部位のケース本体又はカバーに開口部が設けられ、該開口部に防爆性能を有する金属製の蓋体が着脱自在に取り付けられていることを特徴とする請求項１ないし３のいずれか一項に記載の防爆型携帯端末機ケース。
【請求項５】
前記携帯端末機と押釦との間に、押釦の突出・退入に追従する柔軟性のシートが介在し、押釦がシートに接着されていることを特徴とする請求項１ないし４のいずれか一項に記載の防爆型携帯端末機ケース。
【発明の詳細な説明】
【技術分野】
【０００１】
本発明は、可燃性ガスや可燃性粉塵が存在する爆発危険雰囲気中において、音声や情報などを送受信する携帯端末機を使用することができるようにするため、防爆性能を備えて携帯端末機を収納する防爆型携帯端末機ケースに関する。
【背景技術】
【０００２】
爆発危険雰囲気が存在する工場では、工場内と工場外との間で連絡をとるため、防爆構造にしたＰＨＳ（Personal  Handy-phone  System）端末機が使用されることがある。しかし、ＰＨＳ端末機は、１台当たりに使用できる周波数・時間が限られ、また、通信速度が最高でも128kbpsと遅いため、映像情報などの大容量データ通信を行うことができないといった不具合、さらに、専用のアンテナを設置しなければならないことから、インフラ整備のための費用が嵩むといった不具合などがある。
【０００３】
このような不具合を解消するための防爆型ＩＰ（Internet  Protocol）携帯電話機が特許文献１に開示されている。この防爆型ＩＰ携帯電話機は、図６に示すように、前面側と後面側とを開口した角筒状の耐圧防爆ケース本体１００の前面と後面とをそれぞれ前面カバー１０１と後面カバー１０２とによって覆い、両カバー１０１，１０２間にＩＰ電話制御回路を搭載した第１の基板１０３、第１の基板１０３に接続された無線接続用のアンテナ１０４、本質安全バリヤ回路を実装した第２の基板１０５、充電式電池１０６などを収納したものとされている。
【０００４】
前面カバー１０１は、樹脂又は無機質のセラミックスなどの電波透過部材で形成され、一部分に覗き窓孔１０１ａが形成され、前面に操作キーを配列した入力基板１０７が取り付けられ、後面にスピーカ１０８とマイクロホン１０９が取り付けられている。そして、第１の基板１０３には、制御内容を表示する表示器１１０が固定され、この表示器１１０には、透光性の窓ガラス１１１が固定されている。
【先行技術文献】
【特許文献】
【０００５】
【特許文献１】特開２００８−６１０５４号公報
【発明の概要】
【発明が解決しようとする課題】
【０００６】
従来の防爆型ＩＰ携帯電話機は、図５に示すように、多数の部品によって複雑に構成されていることから、部品を容易に交換することができず、メンテナンスや修理が面倒なものになっていた。
【０００７】
また、防爆型ＩＰ携帯電話機は、従来の内部で爆発が起きた場合に、火炎や火花などが外部に漏出しないようにするため、ケース本体とカバーとの接合面の幅が厚くされ（例えば10mm）、さらに、爆圧に耐えられるように堅牢な構造とされていることから、大型化・重量化したもの（900〜1,000ｇ程度）となっている。このことは、安全を図る上で規定された指針に従うもので、小型・軽量化を図ることができない一因となっていた。
【０００８】
しかし、防爆指針の改定により、内部の自由空間が20cm3以下の容積にあっては、非点火防爆構造である前提のもと、従来規定されたケース本体とカバーとの接合面の幅などの条件が除外され、防爆型携帯端末機の小型・軽量化を図ることができるようになった。
【０００９】
そこで、本発明は、防爆性能を備えて携帯端末機を収納し、操作、通話機能を満足し、しかも、シンプルな構成で小型・軽量化を図ることができるようにした防爆型携帯端末機ケースを提供することを課題とする。
【課題を解決するための手段】
【００１０】
本発明に係る防爆型携帯端末機ケースは、送受信部、表示部、送話部、受話部、キー入力部その他の操作部を備えた携帯端末機を収納した状態で使用することができるように、開口部を設けたケース本体と、ケース本体の開口部を閉鎖するカバーとが備えられた防爆型携帯端末機ケースにおいて、前記ケース本体及びカバーが防爆性能を有する金属によって成型され、前記ケース本体又はカバーには携帯端末機の送受信部、表示部、送話部、受話部、キー入力部その他の操作部と対向する部位に貫通穴が形成され、送受信部と対向する貫通穴に防爆性能を有する電波透過部材が嵌め込まれ、表示部と対向する貫通穴に防爆性能を有する透光部材が嵌め込まれ、送話部及び受話部と対向する貫通穴に防爆性能を有する音声透過部材が嵌め込まれ、キー入力部その他の操作部に対向する部位に防爆性能を有する金属製の押釦が内外を隔絶しつつ突出・退入自在に嵌め込まれていることを特徴としている。
【００１１】
この防爆型携帯端末機ケースによれば、ケース本体及びカバーが防爆性能を有する金属によって、非点火防爆構造でかつ小型にすることができる。そして、ケース本体又はカバーが携帯端末機の送受信部と対向する部位に貫通穴が形成され、この貫通穴に防爆性能を有する電波透過部材が嵌め込まれることにより、ケース本体及びカバーが金属によって成型されていても、携帯端末機が電波を送受信することができる。
【００１２】
そして、ケース本体又はカバーが携帯端末機の表示部と対向する部位に貫通穴が形成され、この貫通穴に防爆性能を有する透光部材が嵌め込まれることにより、ケース本体及びカバーが金属によって成型されていても、携帯端末機の表示部に表示された情報を目視することができる。
【００１３】
そして、ケース本体又はカバーが携帯端末機の送話部及び受話部と対向する部位に貫通穴が形成され、この貫通穴に防爆性能を有する音声透過部材が嵌め込まれることにより、ケース本体及びカバーが金属によって成型されていても、通話することができる。そして、ケース本体又はカバーが携帯端末機のキー入力部その他の操作部に対向する部位に貫通穴が形成され、この貫通穴に防爆性能を有する金属製の押釦が内外を隔絶しつつ突出・退入自在に嵌め込まれていることにより、ケース本体及びカバーが金属によって成型されていても、携帯端末機のキー入力部その他の操作部を操作することができる。
【００１４】
また、前記本発明に係る防爆型携帯端末ケースにおいて、前記電波透過部材及び／又は光透過材を嵌め込む貫通穴には、電波透過部材及び／又は光透過材の前面側周縁部を載置するフランジが設けられていることが好ましい。
【００１５】
この防爆型携帯端末機ケースによれば、電波透過部材及び／又は光透過材を嵌め込む貫通穴にフランジが設けられることにより、電波透過部材及び／又は光透過材がケース本体及びカバーの貫通穴から脱落しにくいようにすることができる。
【００１６】
また、前記本発明に係る防爆型携帯端末ケースにおいて、着信音を発生する着信音発生部を備えている携帯端末機を収納するケース本体又はカバーには、着信音発生部に対向する部位に貫通穴が形成され、該貫通穴に防爆性能を有する音透過部材が嵌め込まれていることが好ましい。
【００１７】
この防爆型携帯端末機ケースによれば、携帯端末機が着信音を発生する場合において、ケース本体又はカバーが着信音発生部と対向する部位に貫通穴が形成され、この貫通穴に音透過部材が嵌め込まれることにより、ケース本体及びカバーが金属によって形成されていても、着信音を聞き取ることができる。
【００１８】
また、前記本発明に係る防爆型携帯端末ケースにおいて、携帯端末機に備えられた充電端子と対向する部位のケース本体又はカバーに開口部が設けられ、該開口部に防爆性能を有する金属製の蓋体が着脱自在に取り付けられていることが好ましい。
【００１９】
この防爆型携帯端末機ケースによれば、ケース本体又はカバーに設けられた開口部に金属製の蓋体が着脱自在に取り付けられていることにより、蓋体を外した状態において、携帯端末機に備えられた充電端子に直接、充電のためのコネクタを接続することができ、そして、蓋体を取り付けて防爆性能を発揮することができる。
【００２０】
また、前記本発明に係る防爆型携帯端末ケースにおいて、前記携帯端末機と押釦との間に、押釦の突出・退入に追従する柔軟性のシートが介在し、押釦がシートに接着されていることが好ましい。
【００２１】
この防爆型携帯端末機ケースによれば、携帯端末機と押釦との間に柔軟性のシート体が介在し、押釦がシートに接着されていることにより、押釦がケース本体又はカバーから脱落しないようにする機能を簡略化することができる。
【発明の効果】
【００２２】
本発明によれば、携帯端末機を収納するケース本体及びカバーが防爆性能を有する金属によって非点火防爆構造を満足し、小型・軽量化が図られ、携行性を優れたものとすることができる。また、防爆型携帯端末機ケースは、携帯端末機を収納するだけのシンプルな構成とされることにより、携帯端末機を容易に交換することができ、メンテナンスや修理の作業性を向上させることができる。
【図面の簡単な説明】
【００２３】
【図１】本発明に係る防爆型携帯端末機ケースの一実施形態であって、背面側から見た分解斜視図である。
【図２】本発明に係る防爆型携帯端末機ケースの一実施形態であって、（ａ）は平面図、（ｂ）は左側面図、（ｃ）は正面図、（ｄ）は右側面図、（ｅ）背面図、（ｆ）は底面図である。
【図３】本発明に係る防爆型携帯端末機ケースの一実施形態であって、正面側から見た斜視図である。
【図４】本発明に係る防爆型携帯端末機ケースの一実施形態であって、背面側から見た斜視図である。
【図５】本発明に係る防爆型携帯端末機ケースの一実施形態であって、断面側面図である。
【図６】従来の防爆型ＩＰ携帯電話機の一例を示す分解斜視図である。
【発明を実施するための形態】
【００２４】
本発明に係る防爆型携帯端末機ケースの一実施形態について図１ないし図５を参照しながら説明する。この防爆型携帯端末機ケースは、携帯端末機１を収納するケース本体１０とカバー２０と蓋体３０とを備えている。この防爆型携帯端末機ケースの内部自由空間が20cm3以下とされることにより、防爆型携帯端末機ケースは、非点火防爆構造を実現するとともに、300〜400ｇ程度に軽量化されている。
【００２５】
そして、携帯端末機１としては、ＩＰ（Internet  Protocol）ネットワークを通じて音声信号などを送受信して通話するＩＰ携帯電話機が使用される。ＩＰ携帯電話機は、無線ＬＡＮなどの無線通信方式を用いてＩＰネットワークに接続して通信するもので、既に構築された無線ＬＡＮネットワークなどを利用して通話を行うことができるだけでなく、データ、画像などを送受信し、その情報を表示部に表示することができるという特徴を有している。
【００２６】
そして、ＩＰ携帯電話機その他の携帯端末機１は、いずれも図示しないが、上部側に電波を送受信する送受信部（アンテナ）が内蔵され、表面側に表示部、送話部、受話部、キー入力部が備えられ、側面側に電源スイッチ、タッチ式のボリュームが備えられ、背面側に着信音発生部が備えられ、底面側に充電端子が備えられている。
【００２７】
このような携帯端末機１を収納するケース本体１０は、天面部１１、正面部１２、一対の側面部１３，１４によってほぼ箱形に形成され、背面側と底面側に開口部１５，１６が設けられている。このケース本体１０の内寸は、携帯端末機１の外寸とほぼ同じとされ、携帯端末機１の天面部、正面部、側面部がケース本体１０の天面部１１、正面部１２、側面部１３，１４の各内面と当接するようにされている。
【００２８】
そして、カバー２０は、ケース本体１０の背面側の開口部１５を塞ぎ、両側部がケース本体１０の側面部１３，１４の背面に当接し、ネジなどの締結治具２１，２１，…によって締結される。なお、図示しないが、カバー２０とケース本体１０との間にパッキンを介在させ、カバー２０とケース本体１０との気密性をさらに向上させてもよい。
【００２９】
そして、蓋体３０は、ケース本体１０の底面側の開口部１６を塞ぎ、周縁部がケース本体１０の正面部１２、側面部１３，１４及びカバー２０の各底面に当接し、携帯端末機１を密封した状態とする。この蓋体３０の一方の側部内面には、Ｌ字形の爪３１が突設され、蓋体３０の他方の側部には、回転軸３２が貫通し、この回転軸３２に係止片３３が取り付けられている。
【００３０】
他方、ケース本体１０の一方の側面部１３の底面部付近の内面に溝１７が形成され（図５参照）、ケース本体１０の他方の側面部１４の底面付近の内面に溝１８が形成され（図１参照）、それぞれの溝１７，１８に蓋体３０の爪３１と係止片３３が係入するようにされている。
【００３１】
なお、この爪３１や係止片３３が携帯端末機１と干渉しないようにするため、ケース本体１０の正面部１２の内面には、携帯端末機１の底面を支承するスペーサ１９が突設されている。
【００３２】
そして、ケース本体１０の天面部１１とカバー２０の上部であって、携帯端末機１の送受信部と対向する部位に貫通穴１１ａ，２０ａが形成され、この貫通穴１１ａ，２０ａに防爆性能を有する強化ガラスやポリカーボネイトなどから形成された電波透過部材４１が嵌め込まれている。
【００３３】
そして、ケース本体１０の正面部１２であって、携帯端末機１の表示部と対向する部位に貫通穴１２ａが形成され、この貫通穴１２ａに防爆性能を有する強化ガラスやポリカーボネイトなどから形成された透光部材４２が嵌め込まれている（図３参照）。
【００３４】
この電波透過部材４１を嵌め込む貫通穴１１ａ，２０ａ及び透光部材４２を嵌め込む貫通穴１２ａには、図５に示すように、電波透過部材４１及び透光部材４２の前面側周縁部を載置するフランジ１１ｂ，２０ｂ，１２ｂが設けられ、電波透過部材４１及び透光部材４２が貫通穴１１ａ，２０ａ，１２ａから脱落しないようにされている。そして、電波透過部材４１の外周面と貫通穴１１ａ，２０ａの内周面との間及び透光部材４２の外周面と貫通穴１２ａ内周面との間には、接着剤４３が充填され、電波透過部材４１及び透光部材４２が貫通穴１１ａ，２０ａ，１２ａ内に接着されている。
【００３５】
また、電波透過部材４１及び透光部材４２の裏面は、ケース本体１０及びカバー２０の各裏面と同一面又は僅かに窪むようにされ、携帯端末機１と当接しないようにされている。そして、電波透過部材４１及び透光部材４２の厚さ分だけケース本体１０及びカバー２０が薄肉とならないように、フランジ１１ｂ，２０ｂ，１２ｂの周囲で肉盛りされた状態に厚肉とされ、必要な防爆性能を確保することができるようにされている。ただし、ケース本体１０及びカバー２０全体をフランジ１１ｂ，２０ｂ，１２ｂの周囲と同じ肉厚の厚肉としてもよい。
【００３６】
また、電波透過部材４１を嵌め込む貫通穴１１ａ，２０ａの内寸は、性能試験において試用される鋼球の外径よりも小さく、この鋼球が電波透過部材４１に衝突しないようにされ、あるいは、貫通穴１１ａ，２０ａが鋼球の外径よりも大きくされるときは、試験に耐えられる強度を有する電波透過部材４１が使用される。
【００３７】
そして、ケース本体１０の正面部１２であって、携帯端末機１の送話部及び受話部と対向する部位に貫通穴１２ｃ，１２ｄが形成され（図３参照）、この貫通穴１２ｃ，１２ｄに防爆性能を有する音声透過部材４４，４４が嵌め込まれている（図５参照）。この貫通穴１２ｃ，１２ｄは、音声が通過できるだけの小孔とされ、防爆性能に影響がないようにされている。また、音声透過部材４４，４４は、例えば焼結金網が使用される。この音声透過部材４４，４４の外周面と貫通穴１２ｃ，１２ｄの内周面との間には、シリコンゴムなどによって形成された粒状の弾性部材４５が複数箇所に嵌め込まれ、あるいは粘状物が全周に埋め込まれ、音声透過部材４４，４４が貫通穴１２ｃ，１２ｄから脱落しないようにされている。
【００３８】
そして、ケース本体１０の正面部１２であって、携帯端末機１の十字キーや数値・文字入力キーなどのキー入力部と対向する部位に貫通穴１２ｅ,１２ｅ，…が形成され、この貫通穴１２ｅ,１２ｅ，…に防爆性能を有する金属製の押釦４６が内外を隔絶しつつ突出・退入自在に嵌め込まれている。この貫通穴１２ｅ,１２ｅ，…は、十字キーや数値・文字入力キーと同じ形状とされ、縦横に配列される。
【００３９】
そして、押釦４６と携帯端末機１との間には、押釦４６の突出・退入に追従する柔軟性のシート４７が介在している。このシート４７は、耐久性に優れた例えばシリコンゴムによって形成されている。
【００４０】
また、押釦４６の裏面には、例えば突起４６ａが突設され、シート４７にはこの突起４６ａを嵌め込む小孔４７ａが形成され、押釦４６の突起４６ａがシート４７の小孔４７ａに嵌め込まれ、接着剤（図示せず）によって接着され、押釦４６が貫通穴から脱落しないようにされている。したがって、押釦４６の裏面に鍔部を設けることにより、シート４７を省略してもよい。
【００４１】
そして、ケース本体１０の他方の側面部１４であって、携帯端末機１の電源スイッチやタッチ式のボリュームと対向する部位に貫通穴１３ａ，１３ａが形成され、この貫通穴１３ａ，１３ａに防爆性能を有する金属製の押釦４８，４８が内外を隔絶しつつ突出・退入自在に嵌め込まれている。この押釦４８，４８携帯端末機１との間には、押釦４８，４８の突出・退入に追従する柔軟性のシート４７が介在している。また、押釦４８の裏面には突起（図示せず）が突設され、シートには小孔４７ａが形成され、この突起が小孔４７ａに嵌め込まれ、接着剤によって接着され、押釦４８が貫通穴１３ａから脱落しないようにされている。
【００４２】
そして、カバー２０が携帯端末機１の着信音発生部と対向する部位に貫通穴２０ｃが形成され、この貫通穴２０ｃに防爆性能を有する音透過部材４９が嵌め込まれている（図５参照）。この貫通穴２０ｃは、音が通過できるピンホールのような小孔を複数形成したものとされ、防爆性能に影響がないようにされている。また、音透過部材４９は、例えば焼結金網が使用される。この音透過部材４９の外周面と貫通穴２０ｃの内周面との間には、シリコンゴムなどによって形成された粒状の弾性部材４５が複数箇所に嵌め込まれ、あるいは粘状物が全周に埋め込まれ、音透過部材４９が貫通穴２０ｃから脱落しないようにされている。
【００４３】
このように構成された防爆型携帯端末機ケースは、従来の900〜1,000ｇから300〜400ｇと軽量化されており、使用者が携行するに際して、不便さを感じることがない。さらに、この防爆型携帯端末機ケースは、内部空間が20cm3以下と小型化されていることから、内部で爆発することがなく、使用者の安全性が確保されている。
【００４４】
そして、防爆型携帯端末ケース内に収納された携帯端末機１がＩＰ携帯電話機であると、防爆型携帯端末ケースは、無線ＬＡＮの電波を送受信できる範囲で使用することができる。すなわち、防爆型携帯端末ケースのケース本体１０、カバー２０、蓋体３０が金属によって成型されていても、携帯端末機１の送受信部に対向した部位に貫通穴１１ａ，２０ａが形成され、この貫通穴１１ａ，２０ａに電波透過部材４１が嵌め込まれているため、電波を送受信することができる。
【００４５】
したがって、使用者は、音透過部材４９を介して着信音を聞き取り、音声透過部材４４，４４を介して会話し、押釦４６，４８を押し操作することにより、携帯端末機１のキー入力部に数値や文字を入力したり、スイッチやボリュームを操作したりすることができ、さらに、透光部材４２を介して表示部に表示された情報を目視することができる。
【００４６】
また、携帯端末機１の電源が消耗したときは、蓋体３０を外し、電源のコネクタを携帯端末機１の充電端子に接続する。充電後は、蓋体３０を取り付けて使用する。また、携帯端末機１を交換、メンテナンス、修理するときは、カバー２０を蓋体３０から外す。
【００４７】
なお、本発明は、前記の実施形態に限定することなく種々変更することができる。例えば、携帯端末機１の電池にコイルが備えられ、電磁結合によって充電するときや、太陽電池によって作動するときは、防爆型携帯端末機ケースは、蓋体３０を備えず、ケース本体１０を桝状に形成してもよい。
【００４８】
また、信号を受信したことをバイブレーションのみによって知らせる携帯端末機１にあっては、着信音発生部を備えていないことから、カバー２０に音透過部材４９を嵌め込むための貫通穴２０ｃを形成する必要はない。
【００４９】
また、図示したケース本体１０は背面側と底面側に開口部１５，１６を設けたものとされ、カバー２０はほぼ板状とされているが、ケース本体１０とカバー２０とをほぼ同一形状とした半割状のものを組み合わせてもよい。
【００５０】
また、実施形態では、防爆型携帯端末ケースは、携帯端末機１としてＩＰ電話機を収納する場合について説明したが、その他ＩＰ携帯端末機、ＰＨＳ、その他各種携帯電話機のような携帯端末機１を収納して使用することもできる。
【符号の説明】
【００５１】
１………携帯端末機
１０……ケース本体
１１ａ…貫通穴
１１ｂ…貫通穴
１２ａ…貫通穴
１２ｃ…貫通穴
１２ｄ…貫通穴
１２ｅ…貫通穴
１３ａ…貫通穴
１５……開口部
１６……開口部
２０……カバー
２０ｃ…貫通穴
３０……蓋体
４１……電波透過部材
４２……透光部材
４４……音声透過部材
４６……押釦
４７……シート
４８……押釦
４９……音透過部材
【図１】
2010192972.tif 000003
【図２】
2010192972.tif 000004
【図３】
2010192972.tif 000005
【図４】
2010192972.tif 000006
【図５】
2010192972.tif 000007
【図６】
2010192972.tif 000008